Podtech/llm-jp-corpus-v4-ja_patent huggingface dataset:
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
遊技者の操作にもとづいて遊技を行うとともに、特定遊技状態とするための条件が成立した場合に遊技者に有利な特定遊技状態に制御可能であり、特別遊技状態とするための条件が成立したら前記特定遊技状態になりやすい特別遊技状態に制御可能な遊技機であって、
遊技機への電力供給が停止しても所定期間は記憶内容を保持することが可能な変動データ記憶手段と、
所定電位の電源を監視し、電圧の低下を検出したことにもとづいて電圧低下信号を出力する電源監視手段と、
前記電圧低下信号が出力されたことにもとづいて、バックアップフラグを前記変動データ記憶手段に設定する処理と前記変動データ記憶手段の記憶内容が正常か否かの判定に用いられるチェックデータを作成して該変動データ記憶手段に記憶する処理とを含む電力供給停止時処理時処理を行う電力供給停止時処理実行手段と、
前記特定遊技状態とするか否かを決めるための特定遊技状態決定用カウンタと、
所定の数値範囲内で前記特定遊技状態決定用カウンタの値を更新する特定遊技状態決定用カウンタ更新手段と、
所定のタイミングで前記特定遊技状態決定用カウンタの更新の初期値を変更する特定遊技状態決定用カウンタ変更手段と、
前記特別遊技状態とするか否かを決定するための特別遊技状態決定用カウンタと、
前記特別遊技状態決定用カウンタの値を、あらかじめ決められている数値範囲内で更新する特別遊技状態決定用カウンタ更新手段と、
所定のタイミングで前記特別遊技状態決定用カウンタの更新の初期値を変更する特別遊技状態決定用カウンタ変更手段と、
前記特定遊技状態決定用カウンタおよび前記特別遊技状態決定用カウンタの値は、前記変動データ記憶手段に記憶され、
遊技機に対して電力供給が開始されたときに、前記バックアップフラグが前記変動データ記憶手段に設定されているか否かを判定するとともに前記変動データ記憶手段に保持されていた前記チェックデータにもとづいて該変動データ記憶手段に保持されていた記憶内容が正常であるか否かを判定し、前記バックアップフラグが前記変動データ記憶手段に設定されていると判定し、かつ前記チェックデータにもとづいて前記変動データ記憶手段の記憶内容が正常であると判定したことを条件に、遊技状態を電力供給が停止したときの状態に復旧させる復旧手段とを備え、
前記復旧手段は、前記変動データ記憶手段に保存されていた前記特定遊技状態決定用カウンタおよび前記特別遊技状態決定用カウンタの値から、前記特定遊技状態決定用カウンタおよび前記特別遊技状態決定用カウンタの更新を継続させる
ことを特徴とする遊技機。
【手続補正２】
【補正対象書類名】明細書
【補正対象項目名】００１５
【補正方法】変更
【補正の内容】
【００１５】
本発明による遊技機は、遊技者の操作にもとづいて遊技を行うとともに、特定遊技状態とするための条件が成立した場合に遊技者に有利な特定遊技状態に制御可能であり、特別遊技状態とするための条件が成立したら特定遊技状態になりやすい特別遊技状態に制御可能な遊技機であって、遊技機への電力供給が停止しても所定期間は記憶内容を保持することが可能な変動データ記憶手段と、所定電位の電源を監視し、電圧の低下を検出したことにもとづいて電圧低下信号を出力する電源監視手段と、電圧低下信号が出力されたことにもとづいて、バックアップフラグを変動データ記憶手段に設定する処理と変動データ記憶手段の記憶内容が正常か否かの判定に用いられるチェックデータを作成して変動データ記憶手段に記憶する処理とを含む電力供給停止時処理時処理を行う電力供給停止時処理実行手段と、特定遊技状態とするか否かを決めるための特定遊技状態決定用カウンタと、所定の数値範囲内で特定遊技状態決定用カウンタの値を更新する特定遊技状態決定用カウンタ更新手段と、所定のタイミングで特定遊技状態決定用カウンタの更新の初期値を変更する特定遊技状態決定用カウンタ変更手段と、特別遊技状態とするか否かを決定するための特別遊技状態決定用カウンタと、特別遊技状態決定用カウンタの値を、あらかじめ決められている数値範囲内で更新する特別遊技状態決定用カウンタ更新手段と、所定のタイミングで特別遊技状態決定用カウンタの更新の初期値を変更する特別遊技状態決定用カウンタ変更手段と、特定遊技状態決定用カウンタおよび特別遊技状態決定用カウンタの値は、変動データ記憶手段に記憶され、遊技機に対して電力供給が開始されたときに、バックアップフラグが変動データ記憶手段に設定されているか否かを判定するとともに変動データ記憶手段に保持されていたチェックデータにもとづいて該変動データ記憶手段に保持されていた記憶内容が正常であるか否かを判定し、バックアップフラグが変動データ記憶手段に設定されていると判定し、かつチェックデータにもとづいて変動データ記憶手段の記憶内容が正常であると判定したことを条件に、遊技状態を電力供給が停止したときの状態に復旧させる復旧手段とを備え、復旧手段は、変動データ記憶手段に保存されていた特定遊技状態決定用カウンタおよび特別遊技状態決定用カウンタの値から、特定遊技状態決定用カウンタおよび特別遊技状態決定用カウンタの更新を継続させることを特徴とする。
【手続補正３】
【補正対象書類名】明細書
【補正対象項目名】００１６
【補正方法】変更
【補正の内容】
【００１６】
請求項１記載の発明では、遊技機が、遊技機に対して電力供給が開始されたときに、変動データ記憶手段に保存されていた特定遊技状態決定用カウンタおよび特別遊技状態決定用カウンタの値から、特定遊技状態決定用カウンタおよび特別遊技状態決定用カウンタの更新を継続させるように構成されているので、所定の起動タイミングに同期して遊技制御手段から出力される各種信号を観測しても、特定遊技状態決定用カウンタおよび特別遊技状態決定用カウンタの値が判定値と一致するタイミングを推測することはできなくなり、その結果、外部から特定遊技状態および特別遊技状態を不正に発生させるための信号を与えることができなくなって不正遊技行為を効果的に防止でき、さらに、電源断等からの復旧時に特定遊技状態決定用カウンタおよび特別遊技状態決定用カウンタの値は電源断時の値から継続してカウントアップが再開されるのに対して、仮に、遊技機に不正基板が接続されたとしても、不正基板上の回路動作が電源断時の状態から継続するということは考えられず、不測の電源断等からの復旧時に、不正基板等を用いて特定遊技状態決定用カウンタおよび特別遊技状態決定用カウンタの値が判定値と一致するタイミングを予測することがより困難になる。
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
複数枚のカードを収納するカード収納部と、前記カード収納部から前記カードをスライドさせて取り出すことが可能な開口とを備えたカードシュータ部と、
前記開口から１枚ずつ取り出されるカードをゲームテーブル上に案内するカードガイド部を備え、前記カードシュータ部から引き出されるカードから当該カードの数を読み取るカード読取部と、
前記カード読取部により順次読み取られるカードの数の情報に基づいてカードゲームの勝敗を判定する処理機能を有する制御部と、
前記制御部により判定された判定結果を出力する表示部と、
を備え、
前記カードシュータ部と前記カード読取部と前記制御部とが一体化されて前記ゲームテーブル上に設置可能な構成であることを特徴とするカードシュータ装置。
【請求項２】
前記カードシュータ部から引き出されるカードは手動で引き出されることを特徴とする請求項１に記載のカードシュータ装置。
【請求項３】
前記カードシュータ部からスライドさせてカードシュータ部より取り出されるカードが、手動により逆戻りしたときに、前記カード読取部の読み取り結果を無効にするための計測有効判定センサを備えたことを特徴とする請求項１または２に記載のカードシュータ装置。
【請求項４】
カードシュータ部より取り出されるカードがカードゲームには使用されないカットカードであるときこれを無視する機能を備えたことを特徴とする請求項１から３のいずれかに記載のカードシュータ装置。
【請求項５】
一枚目に引き出されるカードを無効にする一枚目カード無効モードを設定する無効モード設定手段を備えたことを特徴とする請求項１から４のいずれかに記載のカードシュータ装置。
【請求項６】
前記カードガイド部のカードガイド面をカードが正常に通過したかどうかを判定するためのセンサを備えたことを特徴とする請求項１から５のいずれかに記載のカードシュータ装置。
【請求項７】
前記カードシュータ部より取り出されるカードのコードが正常か否かを判定する手段を備えたことを特徴とする請求項１から６のいずれかに記載のカードシュータ装置。
【請求項８】
前記カードシュータ部より取り出されるカードのコードが正常か否かを判定した結果、前記カードが正常で無いと判定されたときに警報音を発する手段を備えたことを特徴とする請求項７に記載のカードシュータ装置。
【請求項９】
前記カードシュータ部と、前記カード読取部と、前記制御部と、前記表示部とが一体化されて前記ゲームテーブル上に設置可能であることを特徴とする請求項１から８のいずれかに記載のカードシュータ装置。
【請求項１０】
前記表示部が、前記ハウジング上部に設けられた第１表示部と、前記ハウジング側部に設けられた第２表示部とを有することを特徴とする請求項９に記載のカードシュータ装置。
【請求項１１】
複数枚のカードを収納するカード収納部と、前記カード収納部から前記カードをスライドさせて取り出すことが可能な開口とを備えたカードシュータ部と、
前記開口から１枚ずつ取り出されるカードをゲームテーブル上に案内するカードガイド部を備え、前記カードシュータ部から手動で引き出されるカードから当該カードの数を読み取るカード読取部と、
を備え、
前記カードシュータ部と前記カード読取部が一体化されており、かつ、前記ゲームテーブル上に設置可能であり、
前記カードシュータ部からスライドさせてカードシュータ部より取り出されるカードが手動により逆戻りしたときに、前記カード読取部の読み取り結果を無効にするための計測有効判定センサをさらに備えたことを特徴とするカードシュータ装置。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
放送のチャンネルの選局操作を行う選局操作部と、局部発振信号源と、前記局部発振信号源から供給される局部発振信号と受信信号とを混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように、前記選局操作部における選局結果に依拠して前記局部発振信号の周波数を前記受信信号よりも高い周波数に設定するか低い周波数に設定するかが切り替わるように構成されていることを特徴とする情報受信装置。
【請求項２】
前記局部発振信号源は、前記選局操作部における選局結果に応じて、公開された放送局の送信周波数と送信電力とのデータを参照して前記局部発振信号の周波数を前記受信信号よりも高い周波数に設定するか低い周波数に設定するかの切り替えを制御するように構成されていることを特徴とする請求項１に記載の情報受信装置。
【請求項３】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項１に記載の情報受信装置。
【請求項４】
放送のチャンネルの選局操作を行う選局操作部と、局部発振信号源と、前記局部発振信号源から供給される局部発振信号と受信信号とを混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して当該局部発振信号の周波数を変更可能に構成されていることを特徴とする情報受信装置。
【請求項５】
前記局部発振信号源は、前記選局操作部における選局結果に応じて、公開された放送局の送信周波数と送信電力とのデータを参照して当該局部発振信号の周波数を制御するように構成されていることを特徴とする請求項４に記載の情報受信装置。
【請求項６】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項４に記載の情報受信装置。
【請求項７】
前記放送はデジタル放送であることを特徴とする請求項１乃至４の何れか一項に記載の情報受信装置。
【請求項８】
前記デジタル放送は、地上デジタル放送の１セグメント放送であることを特徴とする請求項５に記載の情報受信装置。
【手続補正２】
【補正対象書類名】明細書
【補正対象項目名】発明の名称
【補正方法】変更
【補正の内容】
【発明の名称】情報受信装置
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
略直方体形状のセラミック積層体と、該セラミック積層体中に誘電体セラミックスを介して対向しかつ交互に異なる端面へ引出されるように形成された内部電極と、前記セラミック積層体の両端面に形成され、該端面に引き出された前記内部電極のそれぞれに電気的に接続された外部電極と、を有する積層セラミックコンデンサにおいて、
前記内部電極はＣｕまたはＣｕ合金で構成されており、
前記誘電体セラミックスは断面で見たときの径の平均値が４００ｎｍ以下のグレインと粒界とで構成された、ＢａＴｉＯ３を主体とするペロブスカイト型誘電体材料の焼結体であり、
前記グレインはドメインパターンを有する誘電体と該誘電体の表面に形成された殻とで構成されており、
断面で見たときの前記グレインの径の平均値をＤ、前記殻の厚さの平均値をｔとしたとき、ｔ／Ｄが２％〜１０％である
ことを特徴とする積層セラミックコンデンサ。    
【請求項２】
前記内部電極に挟まれた前記誘電体セラミックス中にＣｕが分布していることを特徴とする請求項１に記載の積層セラミックコンデンサ。
【手続補正２】
【補正対象書類名】明細書
【補正対象項目名】０００８
【補正方法】変更
【補正の内容】
【０００８】
本発明では第一の解決手段として、略直方体形状のセラミック積層体と、該セラミック積層体中に誘電体セラミックスを介して対向しかつ交互に異なる端面へ引出されるように形成された内部電極と、前記セラミック積層体の両端面に形成され、該端面に引き出された前記内部電極のそれぞれに電気的に接続された外部電極と、を有する積層セラミックコンデンサにおいて、前記内部電極はＣｕまたはＣｕ合金で構成されており、前記誘電体セラミックスは断面で見たときの径の平均値が４００ｎｍ以下のグレインと粒界とで構成された、ＢａＴｉＯ３（ＢＴ）を主体とするペロブスカイト型誘電体材料の焼結体であり、前記グレインはドメインパターンを有する誘電体と該誘電体の表面に形成された殻とで構成されており、断面で見たときの前記グレインの径の平均値をＤ、前記殻の厚さの平均値をｔとしたとき、ｔ／Ｄが２％〜１０％であることを特徴とする積層セラミックコンデンサを提案する。
【手続補正３】
【補正対象書類名】明細書
【補正対象項目名】００１０
【補正方法】変更
【補正の内容】
【００１０】
また、前記第一の解決手段によれば、温度特性がＸ７Ｒ特性またはＸ８Ｒ特性を満足し、１５０℃−２０Ｖ／μｍの環境下で２４時間以上劣化しない寿命特性を有する積層セラミックコンデンサを得ることができる。
【手続補正４】
【補正対象書類名】明細書
【補正対象項目名】００１１
【補正方法】変更
【補正の内容】
【００１１】
また本発明では、第二の解決方法として前記内部電極に挟まれた前記誘電体セラミックス中にＣｕが分布していることを特徴とする積層セラミックコンデンサを提案する。前記第二の解決手段によれば、Ｃｕが誘電体セラミックスに分布していることにより、殻および粒界の電位障壁が高くなるため、１０８０℃以下の比較的低温の還元雰囲気下で焼結された誘電体セラミックスでも充分な絶縁性を得ることができ、高温加速寿命特性が向上する。
【手続補正書】
【提出日】平成21年2月19日(2009.2.19)
【手続補正１】
【補正対象書類名】明細書
【補正対象項目名】０００２
【補正方法】変更
【補正の内容】
【０００２】
固体撮像装置における電子増幅についていろいろと提案されている。たとえば、特許文献１はCCD（Charge Coupled Device）の読出しゲートで電子増幅現象であるインパクトイオン化が発生することを開示する。インパクトイオン化が発生し、暗電流が増幅されると、画像にはいわゆる白傷として現れる。特許文献１は、インパクトイオン化を発生させないことを目的にしている。白傷を目立たないように抑制させることから、固体撮像装置は、電荷蓄積部と読出し部との間に形成する半導体の不純物濃度を調整することにより、読出しゲート部に生じる電界強度を緩和させ、結果として電子増幅を抑制させている。
【手続補正２】
【補正対象書類名】明細書
【補正対象項目名】０００３
【補正方法】変更
【補正の内容】
【０００３】
また、特許文献２はフレーム転送型-CCDを開示する。特許文献２は、インパクトイオン化を発生させる増幅部を有する。特許文献２の固体撮像装置は、このように電子増幅を積極的に発生させて、感度を向上させている。
【特許文献１】特開平８−340099号公報
【特許文献２】特開2002−290836号公報
【手続補正３】
【補正対象書類名】明細書
【補正対象項目名】００３７
【補正方法】変更
【補正の内容】
【００３７】
レリーズシャッタボタンは、２段階のストロークを有するボタンで、第１段のストロークでディジタルカメラ10を予備撮像の段階（S1）にし、第２段のストロークで本撮像の段階（S2）にするトリガタイミングを指示信号88としてシステム制御部22に出力する。
【手続補正４】
【補正対象書類名】明細書
【補正対象項目名】００３８
【補正方法】変更
【補正の内容】
【００３８】
システム制御部22には、カメラ全体の汎用な部分やディジタル処理を行なう部分を制御するマイクロコンピュータまたはCPU（Central Processing Unit）が用いられている。システム制御部22は、図示しないがシーン判別部や係数を格納するEEPROM（Electrically Erasable Programmable Read Only Memory）、および動作手順の指示プログラムを格納するROM（Read Only Memory）等を含む。システム制御部22は、ソフトウェア的に処理でき、信号処理部18で選択した結果を選択信号84として供給される。
【手続補正５】
【補正対象書類名】明細書
【補正対象項目名】００４４
【補正方法】変更
【補正の内容】
【００４４】
ストレージ30は、半導体メモリ等を記録媒体として用いて、信号処理部18から供給される画像データ92を記録する。データの書込み/読出しは、図示しないがシステム制御部22からの制御信号に応じて制御される。モニタ32は、図示しない表示コントローラにより供給される画像データ86が表示デバイスにて画像表示される。
【手続補正書】
【提出日】平成21年9月8日(2009.9.8)
【手続補正１】
【補正対象書類名】明細書
【補正対象項目名】００６６
【補正方法】変更
【補正の内容】
【００６６】
例えば、16乃至240の整数範囲の輝度信号Ｙを出力し、1乃至254の整数範囲の色差信号CB/CRを圧縮して出力したい場合、入力データ通過帯域制御部１６から、輝度系オーバーシュート通過帯域調整回路１２に対して輝度信号Ｙの通過帯域の上限値を254から240に変更する要求がなされ、輝度系アンダーシュート通過帯域調整回路１３に対して輝度信号Ｙの通過帯域の下限値を1から16に変更する要求がなされる。
【手続補正２】
【補正対象書類名】明細書
【補正対象項目名】００６７
【補正方法】変更
【補正の内容】
【００６７】
また入力データ通過帯域制御部１６から色差系通過帯域調整回路１４に対して通過帯域を変更しない旨が通知される。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
圧縮対象の画像を入力する入力手段と、
前記入力手段により入力された入力画像と、前記入力画像が圧縮された結果得られた圧縮画像が伸張された結果得られた伸張画像を比較する比較手段と、
前記比較手段による比較結果に基づいて、前記伸張画像の所定の画素の画素値を、所定の値に変更する画像処理手段と、
前記画像処理手段により画素値が変更された前記伸張画像を表示させる表示手段と
を備える表示制御装置。
【請求項２】
前記比較手段は、前記入力画像と前記伸張画像の対応する画素の画素値の差分量を算出し、
前記画像処理手段は、前記伸張画像の、前記差分量が所定の基準値を超える画素の画素値を、所定の置換値に置き換える
請求項１に記載の表示制御装置。
【請求項３】
前記比較手段は、前記入力画像と前記伸張画像の対応する画素の輝度値若しくは色差値の差分量、または輝度値および色差値の両方を差分量を算出し、
前記画像処理手段は、前記伸張画像の、前記差分量が所定の基準値を超える画素の輝度値若しくは色差値、または輝度値および色差値の両方を、所定の置換値に置き換える
請求項２に記載の表示制御装置。
【請求項４】
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記画像処理ステップの処理で画素値が変更された前記伸張画像を表示させる表示ステップと
を含む表示制御方法。
【請求項５】
画像の表示を制御する表示制御処理をコンピュータに実行させるプログラムにおいて、
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記画像処理ステップの処理で画素値が変更された前記伸張画像を表示させる表示ステップと
を含む処理をコンピュータに実行させるプログラム。
【手続補正２】
【補正対象書類名】明細書
【補正対象項目名】０００９
【補正方法】変更
【補正の内容】
【０００９】
本発明の一側面の表示制御装置は、
圧縮対象の画像を入力する入力手段と、
前記入力手段により入力された入力画像と、前記入力画像が圧縮された結果得られた圧縮画像が伸張された結果得られた伸張画像を比較する比較手段と、
前記比較手段による比較結果に基づいて、前記伸張画像の所定の画素の画素値を、所定の値に変更する画像処理手段と、
前記画像処理手段により画素値が変更された前記伸張画像を表示させる表示手段と
を備える。
【手続補正３】
【補正対象書類名】明細書
【補正対象項目名】００１２
【補正方法】変更
【補正の内容】
【００１２】
本発明の一側面の表示制御方法、またはプログラムは、
圧縮対象の画像を入力する入力ステップと、
前記入力ステップにより入力された入力画像と、前記入力画像が圧縮された結果得られた圧縮画像が伸張された結果得られた伸張画像を比較する比較ステップと、
前記比較ステップでの比較結果に基づいて、前記伸張画像の所定の画素の画素値を、所定の値に変更する画像処理ステップと、
前記画像処理ステップの処理で画素値が変更された前記伸張画像を表示させる表示ステップと
を含む。
【手続補正４】
【補正対象書類名】明細書
【補正対象項目名】００１６
【補正方法】変更
【補正の内容】
【００１６】
本発明の一側面の表示制御装置は、
圧縮対象の画像を入力する入力手段（例えば、図１の蓄積メモリ１）と、
前記入力手段により入力された入力画像と、前記入力画像が圧縮された結果得られた圧縮画像が伸張された結果得られた伸張画像を比較する比較手段（例えば、図１の画像処理回路５）と、
前記比較手段による比較結果に基づいて、前記伸張画像の所定の画素の画素値を、所定の値に変更する画像処理手段（例えば、図１の画像処理回路５）と、
前記画像処理手段により画素値が変更された前記伸張画像を表示させる表示手段（例えば、図１の表示画像制御部８）と
を備える。
【手続補正５】
【補正対象書類名】明細書
【補正対象項目名】００１９
【補正方法】変更
【補正の内容】
【００１９】
本発明の一側面の表示制御方法、またはプログラムは、
圧縮対象の画像を入力する入力ステップ（例えば、図１の蓄積メモリ１の処理）と、
前記入力ステップの処理で入力された入力画像と、前記入力画像が圧縮された結果得られた圧縮画像が伸張された結果得られた伸張画像を比較する比較ステップ（例えば、図２のステップＳ２）と、
前記比較ステップでの比較結果に基づいて、前記伸張画像の所定の画素の画素値を、所定の値に変更する画像処理ステップ（例えば、図２のステップＳ３およびステップＳ４）と、
前記画像処理ステップの処理で画素値が変更された前記伸張画像を表示させる表示ステップ（例えば、図１の表示画像制御部８の処理）と
を含む。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
入力した映像データのビットレートを変換して出力する映像制御装置において、前記映像データをデコードする第１のデコーダと、前記第１のデコーダの出力を変換されたビットレートでエンコードするエンコーダと、前記エンコーダにより第１のビットレートでエンコードされた映像データを記録媒体に出力するための出力部と、前記エンコーダにより第２のビットレートでエンコードされた映像データを再デコ−ドする第２のデコーダと、前記第２のビットレートを、入力した映像データのビットレートよりも前記第１のビットレートに対応した分小さくなるように決定する制御部とを有することを特徴とする映像制御装置。
【請求項２】
前記第１のビットレートと前記第２のビットレートとの和が、前記入力した映像データのビットレートより小さいことを特徴とする請求項１記載の映像制御装置。
【請求項３】
前記入力した映像データを暗号化する暗号化部と、暗号化された映像データを記憶する記憶部とを有し、前記制御部は、ユーザからの指示に基いて、前記記憶部より所定の映像データを読み出し、前記暗号化を解除して、前記第１のデコーダに出力するように前記記憶部及び前記暗号化部を制御する請求項２記載の映像制御装置。
【請求項４】
前記第１のデコーダまたは、前記第２のデコーダによりデコードされた映像データの解像度を変換する解像度変換部と、表示器で映像を表示できるように前記解像度変換部により解像度変換された映像データのフォーマットを変換するデジタルインターフェイスとを有する請求項２記載の映像制御装置。
【請求項５】
前記入力した映像データのビットレートをｘ（Ｍｂｐｓ）（但し、ｘは正数）としたとき、前記第１のビットレートが所定のビットレートｋ（Ｍｂｐｓ）（但し、ｋは正数）より小さい場合には、前記第２のビットレートは、（ｘ−ｋ）より小さい所定値ｍ（Ｍｂｐｓ）（但し、ｍは正数）に設定される請求項２記載の映像制御装置。
【請求項６】
前記所定のビットレートｋ、前記所定値ｍ、及び前記入力した映像データのビットレートｘは、０．１＜ｋ／ｘ＜０．３、０．５＜ｍ／ｘ＜０．８の関係を有する請求項５記載の映像制御装置。
【請求項７】
前記制御部は、前記記録媒体に出力された映像データが戻されたときに前記第２のビットレートを、前記記録媒体に出力する前に設定されていたビットレートに戻すことを特徴とする請求項２記載の映像制御装置。
【請求項８】
入力した映像データのビットレートを変換して出力する映像制御方法において、前記映像データをデコードする第１のデコードステップと、前記第１のデコードステップでデコードされた映像データを、変換されたビットレートでエンコードするエンコードステップと、前記エンコードステップにより第１のビットレートでエンコードされた映像データを記録媒体に出力するための出力ステップと、前記エンコードステップにより第２のビットレートでエンコードされた映像データを再デコ−ドする第２のデコードステップとを有し、前記第２のビットレートは、入力した映像データのビットレートよりも前記第１のビットレートに対応した分小さくなるように決定されることを特徴とする映像制御方法。
【手続補正２】
【補正対象書類名】明細書
【補正対象項目名】００１１
【補正方法】変更
【補正の内容】
【００１１】
上記課題を解決するため、本発明の映像制御装置は、入力した映像データのビットレートを変換して出力する映像制御装置において、前記映像データをデコードする第１のデコーダと、前記第１のデコーダの出力を変換されたビットレートでエンコードするエンコーダと、前記エンコーダにより第１のビットレートでエンコードされた映像データを記録媒体に出力するための出力部と、前記エンコーダにより第２のビットレートでエンコードされた映像データを再デコ−ドする第２のデコーダと、前記第２のビットレートを、入力した映像データのビットレートよりも前記第１のビットレートに対応した分小さくなるように決定する制御部とを有することを特徴とする。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
基板に実装されたＭＥＭＳチップを外部から遮蔽するシールドケースであって、
天板と複数の側面板とを備え、
前記複数の側面板の肉厚が、前記天板の肉厚より厚いシールドケース。
【請求項２】
前記天板の端部と前記側面板とで形成される折曲部が、角を有する形状である請求項１に記載のシールドケース。
【請求項３】
前記複数の側面板の端部が、シールドケースの内側に向けてＲ形状部を有する請求項１または２に記載のシールドケース。
【請求項４】
前記天板は、音孔を有することを特徴とする請求項１〜３のいずれか１項に記載のシールドケース。
【請求項５】
前記天板と前記複数の側面板は、一体となっており、
前記天板及び前記複数の側面板は、金属材料からなることを特徴とする請求項１〜４のいずれか１項に記載のシールドケース。
【請求項６】
基板と、
前記基板に実装されるＭＥＭＳチップと、
前記ＭＥＭＳチップを外部から遮蔽するシールドケースであって、天板と複数の側面板とを有し、前記複数の側面板の肉厚が前記天板の肉厚より厚いシールドケースと、を備えるＭＥＭＳマイクロホン。
【請求項７】
前記シールドケースの天板の端部と前記側面板とで形成される折曲部が、角を有する形状である請求項６に記載のＭＥＭＳマイクロホン。
【請求項８】
前記複数の側面板の端部が、シールドケースの内側に向けてＲ形状部を有する請求項６または７に記載のＭＥＭＳマイクロホン。
【請求項９】
前記側面板の端部に形成された前記Ｒ形状部と前記基板との間に半田が形成されていることを特徴とする請求項８に記載のＭＥＭＳマイクロホン。
【請求項１０】
前記シールドケースの天板の端部は角を有する形状であって、前記側面板上には前記天板の平坦部分があることを特徴とする請求項６に記載のＭＥＭＳマイクロホン。
【請求項１１】
前記シールドケースはＮｉメッキを有することを特徴とする請求項６に記載のＭＥＭＳマイクロホン。
【請求項１２】
前記天板の厚さは０．１ｍｍ、前記側面板の厚さは０．２５ｍｍであることを特徴とする請求項６に記載のＭＥＭＳマイクロホン。
【請求項１３】
前記天板は、音孔を有することを特徴とする請求項６〜１２のいずれか１項に記載のＭＥＭＳマイクロホン。
【請求項１４】
前記基板の実装面が３ｍｍ×４ｍｍであって、前記音孔から前記天板の各端までの距離がそれぞれ１ｍｍ以上有することを特徴とする請求項１３に記載のＭＥＭＳマイクロホン。
【請求項１５】
前記天板と前記複数の側面板は、一体となっており、
前記天板及び前記複数の側面板は、金属材料からなることを特徴とする請求項６〜１４のいずれか１項に記載のＭＥＭＳマイクロホン。
【請求項１６】
筐体と、ＭＥＭＳマイクロホンと、前記ＭＥＭＳマイクロホンが搭載される基板を有する携帯電話であって、
前記ＭＥＭＳマイクロホンは、ＭＥＭＳチップと、前記ＭＥＭＳチップが実装される基板と、前記ＭＥＭＳチップを覆うケースを有し、
前記ケースは天板と複数の側面板から構成され、
前記複数の側面板の肉厚が前記天板の肉厚より厚いことを特徴とする携帯電話。
【請求項１７】
前記ＭＥＭＳマイクロホンと前記筐体との間に、ガスケットが形成されていることを特徴とする請求項１６に記載の携帯電話。
【請求項１８】
前記天板に形成された音孔と、前記筐体に形成された音孔が繋がっていることを特徴とする請求項１７に記載の携帯電話。
【請求項１９】
前記天板に形成された音孔と前記筐体に形成された音孔との間には、音響抵抗材が形成されていることを特徴とする請求項１８に記載の携帯電話。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
記録媒体に記録された画像ファイルに格納されている画像データを表示手段に表示する画像再生装置であって、
画像ファイルに記録された属性情報に基づいて前記記録媒体に記録された画像ファイルを管理する管理手段と、
前記管理手段による画像ファイルの管理に用いられる属性情報を管理ファイルとして記録媒体に記録する記録手段と、
前記記録媒体に記録された画像ファイルと前記管理ファイルとの整合性を確認する整合性確認手段と、
前記整合性確認手段が整合性を確認している間に、前記記録媒体に記録された画像ファイルの画像データをユーザ操作に応じて前記表示手段に順次に表示させる表示制御手段とを備えることを特徴とする画像再生装置。
【請求項２】
前記整合性確認手段が整合性を確認している間に、ユーザ操作に応じて、前記表示制御手段により画像データが表示されている画像ファイルに対して属性情報の編集を行う編集手段を更に備えることを特徴とする請求項１に記載の画像再生装置。
【請求項３】
前記整合性確認手段が整合性を確認している間に、ユーザ操作に応じて、前記表示制御手段により画像データが表示されているの画像ファイルを前記記録媒体より消去する消去手段を具備したことを特徴とする請求項１または２に記載の画像再生装置。
【請求項４】
前記整合性確認手段が整合性を確認している間に、前記編集手段により属性情報が変更された画像ファイルを前記管理手段による管理対象から外すことを特徴とする請求項２に記載の画像再生装置。
【請求項５】
前記整合性確認手段による整合性を確認している間に、前記消去手段により消去された画像ファイルを前記管理手段による管理対象から外すことを特徴とする請求項３に記載の画像再生装置。
【請求項６】
記録媒体に記録された画像ファイルに格納されている画像データを表示手段に表示する画像再生装置の制御方法であって、
画像ファイルに記録された属性情報に基づいて前記記録媒体に記録された画像ファイルを管理する管理工程と、
前記管理工程による画像ファイルの管理に用いられる属性情報を管理ファイルとして記録媒体に記録する記録工程と、
前記記録媒体に記録された画像ファイルと前記管理ファイルとの整合性を確認する整合性確認工程と、
前記整合性確認工程で整合性を確認している間に、前記記録媒体に記録された画像ファイルの画像データをユーザ操作に応じて前記表示手段に順次に表示させる表示制御工程とを有することを特徴とする画像再生装置の制御方法。
【手続補正２】
【補正対象書類名】明細書
【補正対象項目名】０００８
【補正方法】変更
【補正の内容】
【０００８】
上記の目的を達成するための本発明による画像再生装置は以下の構成を備える。即ち、  記録媒体に記録された画像ファイルに格納されている画像データを表示手段に表示する画像再生装置であって、
画像ファイルに記録された属性情報に基づいて前記記録媒体に記録された画像ファイルを管理する管理手段と、
前記管理手段による画像ファイルの管理に用いられる属性情報を管理ファイルとして記録媒体に記録する記録手段と、
前記記録媒体に記録された画像ファイルと前記管理ファイルとの整合性を確認する整合性確認手段と、
前記整合性確認手段が整合性を確認している間に、前記記録媒体に記録された画像ファイルの画像データをユーザ操作に応じて前記表示手段に順次に表示させる表示制御手段とを備える。
【手続補正３】
【補正対象書類名】明細書
【補正対象項目名】０００９
【補正方法】変更
【補正の内容】
【０００９】
また、上記の目的を達成するための本発明による画像再生装置の制御方法は、
記録媒体に記録された画像ファイルに格納されている画像データを表示手段に表示する画像再生装置の制御方法であって、
画像ファイルに記録された属性情報に基づいて前記記録媒体に記録された画像ファイルを管理する管理工程と、
前記管理工程による画像ファイルの管理に用いられる属性情報を管理ファイルとして記録媒体に記録する記録工程と、
前記記録媒体に記録された画像ファイルと前記管理ファイルとの整合性を確認する整合性確認工程と、
前記整合性確認工程で整合性を確認している間に、前記記録媒体に記録された画像ファイルの画像データをユーザ操作に応じて前記表示手段に順次に表示させる表示制御工程とを有する。
【手続補正書】
【提出日】平成20年12月17日(2008.12.17)
【手続補正１】
【補正対象書類名】明細書
【補正対象項目名】０００６
【補正方法】変更
【補正の内容】
【０００６】
本発明は以上のような課題を解決するために成されたものであり、その第一の目的は
、分析装置及び分析制御サーバがネットワーク接続されて成るネットワーク接続型分析装置制御システムにおいて、分析制御サーバと分析装置との接続を簡単に行うことにある。また、その第二の目的は、分析実行中に何らかの通信障害が発生した場合に、分析を中断させることなく、又は再分析を行うことなく分析制御サーバと分析装置とを再接続して、データの復旧を図ることにある。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
センサノード宛のデータを保持する記憶部と、基地局とデータ送受信を行う送受信部と
を有するサーバと、
上記サーバに接続され、かつ、上記センサノードと無線接続される基地局と、
上記基地局に接続され、処理部に電源の供給される動作期間と、電源の供給されない第
１の休眠期間とを繰り返す間欠動作を行うセンサノードを備えるセンサネットシステムであって、
上記サーバは、上記記憶部に連続した複数のデータを記憶する場合にもしくは逐次的にデータを記憶する場合に、データ送信開始メッセージを送信し、
上記送信開始メッセージを上記基地局を介して受信した上記センサノードは、上記第１の休眠期間よりも短い第２の休眠期間に切り替えて、以降、該第２の休眠期間の休眠後に上記基地局にポーリングを行い、
上記サーバは上記データの送信の完了時にデータ送信終了メッセージを送信し、
上記データ送信終了メッセージを受信した上記センサノードは、上記第２の休眠期間を上記第１の休眠期間に切り替えることを特徴とするセンサネットシステム。
【請求項２】
上記センサノードは上記第１の休眠期間後の動作期間にセンシングを行ってデータを生成し、上記第２の休眠期間後の動作期間にはセンシングを行わないことを特徴とする請求項１記載のセンサネットシステム。
【請求項３】
上記センサノードは、上記第１の休眠期間に動作する第２の送受信部を有し、
上記第２の送受信部が上記データ送信開始メッセージを受信すると、上記動作期間に移行するように制御されることを特徴とする請求項１記載のセンサネットシステム。
【請求項４】
上記サーバの記憶部は、上記複数のデータを上記センサノードの識別子と対応づけて記憶することを特徴とする請求項１又は２に記載のセンサネットシステム。
【請求項５】
上記センサノードは、上記サーバからのデータを受信すると該データの識別情報を含む受信確認応答を送出し、
上記サーバは、上記受信確認応答の受信および照合によって上記データの送達完了を判定することを特徴とする請求項１乃至４の何れかに記載のセンサネットシステム。
【請求項６】
上記サーバは、上記受信確認応答を所定時間内に受信しなかった場合に、該受信確認応
答に対応する上記データを上記送受信部を介して再送し、
上記所定期間内に上記受信確認応答を受信した場合には、上記データの送信手順を停止し次のデータの送信手順を開始することを特徴とする請求項５記載のセンサネットシステム。
【請求項７】
上記サーバは上記再送を所定回数以上行っても受信確認応答が得られない場合には、該
データの再送手順を停止し、送信失敗を表す情報を生成した後に、次のデータの送信手順
を開始することを特徴とする請求項６記載のセンサネットシステム。
【請求項８】
上記サーバは上記記憶部にセンサノード宛のデータが複数格納されると、上記データ送信開始メッセージを生成し、
上記記憶部に、上記センサノード宛のデータがなくなった時点で上記データ送信終了メッセージを生成することを特徴とする請求項1乃至７の何れかに記載のセンサネットシステム。
【請求項９】
上記サーバは、上記センサノードの識別子と、該センサノードの通信用アドレス、所属
するネットワーク、基地局の通信用アドレスを対応づけて管理し、
上記データ、上記データ送信開始メッセージ及び上記データ送信終了メッセージに上記センサノードの通信用アドレス、所属するネットワーク、基地局の通信用アドレスを付与して送出することを特徴とする請求項1乃至８の何れかに記載のセンサネットシステム。
【請求項１０】
上記基地局は、上記センサノードの接続を検出した時か、上記センサノードが送信した
上記サーバあてのデータを受信した時の少なくともいずれかに、上記センサノードの通信
用アドレス、上記基地局の通信用アドレスを上記サーバに通知することを特徴とする請求
項９に記載のセンサネットシステム。
【請求項１１】
上記センサネットシステムはさらに、上記基地局と上記センサノードの間を中継する中間装置を備え、
上記中間装置は、上記センサノード宛のデータを保持する記憶部を有し、
上記サーバから受信したデータを上記ポーリングを受信するまでの期間保持し続け、上記ポーリングを受信した時に上記センサノードへ転送することを特徴とする請求項１乃至１０の何れかに記載のセンサネットシステム。
【請求項１２】
上位装置と無線を介して接続されるセンサノードであって、
上記上位装置と接続される送受信部と、
センシングデータを取得するセンサと、
上記各部を制御する制御部と、
上記各部に電源を供給する電源と、を有し、
上記電源からの電源が各部に供給され上記センサによるセンシングが行われる動作期間と、該電源が供給されない休眠期間とを交互に第１の所定期間で繰り返すものであって、
上記送受信部を介して複数データ送信開始メッセージを受信すると、
上記制御部は上記休眠期間を短くして、予め設定される上記第１の所定期間より短い第２の所定期間に切り替え、
上記送受信部を介して複数データ送信終了メッセージを受信すると、
上記制御部は上記休眠期間を長くして、上記第２の所定期間を上記第１の所定期間に切り替えることを特徴とするセンサノード。
【請求項１３】
上記第２の所定時間に切り替わっている間の上記動作期間においては上記センシングを
行わないことを特徴とする請求項１２記載のセンサノード。
【請求項１４】
ノードが上位装置へポーリングを行うことによりデータを取得する通信方法であって、
上記ノードは、
第１の時間間隔で上記ポーリングを行い、
上記上位装置に複数のデータが存在するか、又は、上記上位装置に上記第１の時間間隔より短い時間間隔でデータが発生することを検知した場合には、上記ポーリングの間隔を上記第１の時間間隔より短い第２の時間間隔に切り替え、
上記上位装置にデータが存在しないか、又は、上記上位装置におけるデータの発生間隔が上記第１の時間間隔より長くなることを検知した場合には、上記ポーリングの間隔を上記第２の時間間隔から上記第１の時間間隔に切り替えることを特徴とする通信方法。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
編集対象となる文書に含まれるテキストまたは画像の少なくとも一方を示すデータであるオブジェクトを取得するオブジェクト取得手段と、
前記オブジェクト取得手段により取得されたオブジェクトの形状もしくは位置、または前記文書においてオブジェクトが配置される領域であるレイアウト領域の形状のうち少なくともいずれか１つに基づいて定められる基準線の内、互いに平行な２つの前記基準線の間を分割するグリッド線を生成するグリッド線生成手段と、
前記オブジェクト取得手段により取得されたオブジェクトのうち処理対象となる画像を示すオブジェクトである処理対象オブジェクトを取得する画像取得手段と、
前記画像取得手段により取得された処理対象オブジェクトが示す画像内から、基準点を特定する特定手段と、
前記特定手段により特定された基準点が、前記グリッド線生成手段により生成されたグリッド線上に位置するように、前記レイアウト領域内における前記処理対象オブジェクトの位置を決定する位置決定手段と
を有する文書編集装置。
【請求項２】
前記処理対象オブジェクトにより示される画像が人物画像を含み、
前記基準点が、人物の目またはあごの位置に相当する点である
ことを特徴とする請求項１に記載の文書編集装置。
【請求項３】
前記処理対象オブジェクトにより示される画像内において交わる少なくとも２本の線を含み、
前記基準点が、前記少なくとも２本の線の交点に相当する点である
ことを特徴とする請求項１または２に記載の文書編集装置。
【請求項４】
前記処理対象オブジェクトにより示される画像内において前記画像の外周部の接線に垂直または平行な線を含み、
前記基準点が、前記線上に位置する点である
ことを特徴とする請求項１−３のいずれかの項に記載の文書編集装置。
【請求項５】
前記処理対象オブジェクトが前記レイアウト領域からはみ出すか判断する判断手段と、
前記判断手段により前記処理対象オブジェクトが前記レイアウト領域からはみ出すと判断された場合、前記処理対象オブジェクトが前記レイアウト領域に収まるように、前記処理対象オブジェクトを縮小するオブジェクト縮小手段と
を有する請求項１−４のいずれかの項に記載の文書編集装置。
【請求項６】
前記処理対象オブジェクトと前記レイアウト領域の境界線との間の余白の大きさがしきい値を超えているか判断する判断手段と、
前記判断手段により前記余白の大きさが前記しきい値を超えていると判断された場合、前記余白の大きさが前記しきい値内に収まるように、前記処理対象オブジェクトを拡大するオブジェクト拡大手段と
を有する請求項１−４のいずれかの項に記載の文書編集装置。
【請求項７】
前記特定手段により特定される基準点の数が複数であり、
前記位置決定手段が、前記複数の基準点のうち、あらかじめ決められたアルゴリズムにより付与された優先度が最も高い基準点が前記グリッド線上に位置するように、前記レイアウト領域内における前記処理対象オブジェクトの位置を決定する
ことを特徴とする請求項１−６のいずれかの項に記載の文書編集装置。
【請求項８】
前記特定手段により特定される基準点の数が複数であり、
前記グリッド線生成手段により生成されるグリッド線の数が複数であり、
前記位置決定手段が、前記複数の基準点のうち、あらかじめ決められたアルゴリズムにより付与された優先度が最も高い基準点および２番目に高い基準点が、前記複数のグリッド線のうち１本または２本のグリッド線上に位置するように、前記レイアウト領域内における前記処理対象オブジェクトの位置を決定する
ことを特徴とする請求項１−７のいずれかの項に記載の文書編集装置。
【請求項９】
前記特定手段により特定される基準点の数が複数であり、
前記グリッド線生成手段により生成されるグリッド線の数が複数であり、
前記位置決定手段が、前記複数の基準点のうち、あらかじめ決められたアルゴリズムにより付与された優先度が最も高い基準点が前記複数のグリッド線のうち１本のグリッド線上に位置するように、かつ、前記複数の基準点のうち、前記画像の中心点に対し前記優先度が最も高い基準点と点対称の位置にある点との距離が最も短い基準点が前記複数のグリッド線のうち他のグリッド線上に位置するように、前記レイアウト領域内における前記処理対象オブジェクトの位置を決定する
ことを特徴とする請求項１−８のいずれかの項に記載の文書編集装置。
【請求項１０】
前記グリッド線生成手段により生成されるグリッド線が、前記２つの基準線の間を黄金比に分割する線である
ことを特徴とする請求項１−９のいずれかの項に記載の文書編集装置。
【請求項１１】
制御手段と記憶手段とを有するコンピュータ装置に、
前記制御手段が、編集対象となる文書に含まれるテキストまたは画像の少なくとも一方を示すデータであるオブジェクトを取得し、前記記憶手段に記憶するオブジェクト取得処理と、
前記記憶手段に記憶されているオブジェクトの形状もしくは位置、または前記文書においてオブジェクトが配置される領域であるレイアウト領域の形状のうち少なくともいずれか１つに基づいて定められる基準線であって、互いに平行な２つの基準線の間を分割するグリッド線を、前記制御手段が生成するグリッド線生成処理と、
前記制御手段が、処理対象となる画像を示すオブジェクトである処理対象オブジェクトを取得し、前記記憶手段に記憶する画像取得処理と、
前記制御手段が、前記処理対象オブジェクトが示す画像内から、基準点を特定する特定処理と、
前記制御手段が、前記基準点が前記グリッド線上に位置するように、前記レイアウト領域内における前記処理対象オブジェクトの位置を決定する位置決定処理と
を実行させるプログラム。
【請求項１２】
制御手段と記憶手段とを有するコンピュータ装置に、
前記制御手段が、編集対象となる文書に含まれるテキストまたは画像の少なくとも一方を示すデータであるオブジェクトを取得し、前記記憶手段に記憶するオブジェクト取得処理と、
前記記憶手段に記憶されているオブジェクトの形状もしくは位置、または前記文書においてオブジェクトが配置される領域であるレイアウト領域の形状のうち少なくともいずれか１つに基づいて定められる基準線であって、互いに平行な２つの基準線の間を分割するグリッド線を、前記制御手段が生成するグリッド線生成処理と、
前記制御手段が、処理対象となる画像を示すオブジェクトである処理対象オブジェクトを取得し、前記記憶手段に記憶する画像取得処理と、
前記制御手段が、前記処理対象オブジェクトが示す画像内から、基準点を特定する特定処理と、
前記制御手段が、前記基準点が前記グリッド線上に位置するように、前記レイアウト領域内における前記処理対象オブジェクトの位置を決定する位置決定処理と
を実行させるプログラムを記憶した記憶媒体。
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
本体フレームと、
前記本体フレームに収容され、記録媒体に画像を形成する画像形成手段と、
前記本体フレームに収容され、前記画像形成手段によって画像を形成された記録媒体を前記本体フレームの上面の排出部へ排出する排出手段と、
前記排出部の上部に設けられ、原稿の画像を読取る画像読取装置と、
前記排出部の前記記録媒体の排出方向上流側に設けられ、前記画像読取装置を操作する操作部と、を有し、
前記操作部側から見て前記排出部の側方側及び奥側が開放されていることを特徴とする画像形成装置。
【請求項２】
前記画像読取装置を、記録媒体の排出方向上流側において前記画像読取装置と前記本体フレームとの間に空間ができるように、前記本体フレームに支持する支持手段を有することを特徴とする請求項１に記載の画像形成装置。
【請求項３】
前記支持手段が、本体フレームの記録媒体の排出方向と直交する第1の方向の一端側に配設された第1の支持手段を有することを特徴とする請求項２に記載の画像形成装置。
【請求項４】
前記画像読取装置の重心を、前記第1の方向の一端側に配置したことを特徴とする請求項３に記載の画像形成装置。
【請求項５】
前記支持手段が、本体フレームの前記第1の方向の他端側に配設された第２の支持手段を有することを特徴とする請求項２乃至４の何れか1項に記載の画像形成装置。
【請求項６】
前記操作部の記録媒体の排出方向上流側の端部を、前記本体フレームの上方に配置したことを特徴とする請求項１乃至５の何れか1項に記載の画像形成装置。
【請求項７】
前記本体フレームの記録媒体の排出方向下流側の端部から突出した部材を備え、
前記画像読取装置の記録媒体の排出方向下流側の端部を、前記部材の上方に配置したことを特徴とする請求項１乃至６の何れか1項に記載の画像形成装置。
【請求項８】
前記操作部の底部を、前記画像読取装置の底部よりも上側に配置したことを特徴とする請求項１乃至７の何れか1項に記載の画像形成装置。
【請求項９】
前記画像読取装置が、前記本体フレームの記録媒体の排出方向と直交する第１の方向の他端部よりも前記第１の方向の一端側に配設されていることを特徴とする請求項１に記載の画像形成装置。
【請求項１０】
前記画像読取装置の前記第1の方向の他端部を、前記本体フレームの上面に排出された記録媒体の前記第1の方向の他端部よりも前記第1の方向の一端側に配置したことを特徴とする請求項９に記載の画像形成装置。
【請求項１１】
前記第1の方向の一端側が前記操作部側から見て左側、前記第1の方向の他端側が前記操作部側から見て右側であることを特徴とする請求項３、９、及び１０の何れか１項に記載の画像形成装置。
【請求項１２】
前記本体フレームの内部を開閉するカバー体を、前記本体フレームの記録媒体の排出方向上流側に設けたことを特徴とする請求項１乃至１１の何れか1項に記載の画像形成装置。
【請求項１３】
前記画像形成手段へ搬送される記録媒体を収容する収容体を、前記本体フレームの記録媒体の排出方向上流側へ引出し可能としたことを特徴とする請求項１乃至１２の何れか1項に記載の画像形成装置。
【請求項１４】
前記第1の支持手段は、電装部品を収容することを特徴とする請求項１乃至１３の何れか1項に記載の画像形成装置。
【手続補正２】
【補正対象書類名】図面
【補正対象項目名】図１
【補正方法】変更
【補正の内容】
【図１】
2008072481.tif 000001